(57)【特許請求の範囲】
【請求項１】
表面板４０と連結片４１を有するバンド連結具４をゴーグル本体の左右の外端部１１の前面側に配置させ、外端部１１のバンド挿通孔１２に挿通させた弾性バンド５を、連結片４１に巻き付けた後バンド挿通孔１２から引き出してあるゴーグルにおいて、表面板４０の外端側部に縦長のバンド路孔４３，４４を穿設すると共に表面板４０のバンド路孔４３，４４相互間部分を内方に延設して左右方向に長い連結片４１を形成してあり、バンド連結具４が外端部１１に取り付けられたときには、連結片４１に巻き付けられた弾性バンド５は当該連結片４１とバンド挿通孔１２の外側構成壁部１２ａにより挟持されていることを特徴とするゴーグル。
【請求項２】
表面板４０の外端部内面に嵌入凹部４２を形成し、バンド連結具４が外端部１１に取り付けられたときには外端部１１の外側端縁１１ａが前記嵌入凹部４２に嵌まり込むように設定してあり、外側端縁１１ａが嵌入凹部４２に嵌まり込んだ状態において外側構成壁部１２ａは嵌入凹部４２と連結片４１とにより挟み込まれていることを特徴とする請求項１記載のゴーグル。
【請求項３】
連結片４１はこれの内側端が後方に向かって折れ曲がった折曲部４１ａを具備しており、弾性バンド５は折曲部４１ａと外側構成壁部１２ａにより挟持されていることを特徴とする請求項１又は２記載のゴーグル。
【請求項４】
連結片４１はこれの内側端が前方に向かって折れ曲がった折曲部４１ｂを具備していることを特徴とする請求項１又は２記載のゴーグル。
【請求項５】
連結片４１と協同して弾性バンド５を挟持する外側構成壁部１２ａは前端先細に形成してあることを特徴とする請求項１乃至４のいずれかに記載のゴーグル。
【発明の詳細な説明】
【０００１】
【発明の属する技術分野】
この発明は、遊泳用、競泳用、スキー用等のゴーグルに関するものである。
【０００２】
【従来の技術】
遊泳用、競泳用、スキー用等のゴーグルには、図９や図１０に示すように、弾性バンドＢをバンド連結具９を介してゴーグル本体８の左右外端部８０に連結しているものがある。
【０００３】
上記したバンド連結具９は、図９や図１０に示すように、表面板９０と、前記表面板９０に設けられた連結片９１とを具備するものであり、同図に示すようにバンド挿通孔８１から挿入された弾性バンドＢを連結片９１に沿って折り返した（巻き付けた）後再びバンド挿通孔８１を通すようにして外端部８０に装着される。
【０００４】
図９に示すバンド連結具９は、細い連結片９１に巻き付けられた弾性バンドＢを完全に表面板９０により覆うようにしたものであり、前記表面板９０が比較的広い面積を有するのでその部分に意匠的な絵柄を施すことができる。しかし、この連結具９では、弾性バンドＢの引き延ばしてゴーグルを外す際に弾性バンドＢが連結片９１を滑ってしまい、再度装着したときに所望の装着状態にならないという問題があった。また、装着時においても弾性バンドＢが連結片９１を滑って緩んでしまうこともある。・・・（問題１）
図１０に示すバンド連結具９では、連結片９１の後端をバンド挿通孔８１に臨ませて弾性バンドＢをバンド挿通孔８１の構成壁と連結片９１により挟持させるようにしてあり、このため前者の問題１は解決されている。しかし、この連結具９では、バンド路孔９２，９２を形成すべく表面板９０の中程を大きく切り欠いており且つ表面板９０のバンド路孔９２，９２相互間部分が弾性バンドＢで隠れるようになっているから、表面板９０に意匠的な絵柄を施し得る面積が小さい。・・・ (問題２）
したがって、この種のゴーグルを取り扱う業界では、表面板に意匠を施す面積が大きくとれ且つ弾性バンドが不用意に緩まないゴーグルが開発されることを待ち望んでいる。
【０００５】
【発明が解決しようとする課題】
そこで、この発明では、表面板に意匠を施す面積が大きくとれ且つ弾性バンドが不用意に緩まないゴーグルを提供することを課題とする。
【０００６】
【課題を解決するための手段】
（請求項１記載の発明）
この発明は、表面板４０と連結片４１を有するバンド連結具４をゴーグル本体の左右の外端部１１の前面側に配置させ、外端部１１のバンド挿通孔１２に挿通させた弾性バンド５を、連結片４１に巻き付けた後バンド挿通孔１２から引き出してあるゴーグルにおいて、表面板４０の外端側部に縦長のバンド路孔４３，４４を穿設すると共に表面板４０のバンド路孔４３，４４相互間部分を内方に延設して左右方向に長い連結片４１を形成してあり、バンド連結具４が外端部１１に取り付けられたときには、連結片４１に巻き付けられた弾性バンド５は当該連結片４１とバンド挿通孔１２の外側構成壁部１２ａにより挟持されている。
（請求項２記載の発明）
この発明のゴーグルは、上記請求項１記載の発明に関して、表面板４０の外端部内面に嵌入凹部４２を形成し、バンド連結具４が外端部１１に取り付けられたときには外端部１１の外側端縁１１ａが前記嵌入凹部４２に嵌まり込むように設定してあり、外側端縁１１ａが嵌入凹部４２に嵌まり込んだ状態において外側構成壁部１２ａは嵌入凹部４２と連結片４１とにより挟み込まれている。
（請求項３記載の発明）
この発明のゴーグルは、上記請求項１又は２記載の発明に関して、連結片４１はこれの内側端が後方に向かって折れ曲がった折曲部４１ａを具備しており、弾性バンド５は折曲部４１ａと外側構成壁部１２ａにより挟持されている。
（請求項４記載の発明）
この発明のゴーグルは、上記請求項１又は２記載の発明に関して、連結片４１はこれの内側端が前方に向かって折れ曲がった折曲部４１ｂを具備している。
（請求項５記載の発明）
この発明のゴーグルは、上記請求項１乃至４のいずれかに記載の発明に関し、連結片４１と協同して弾性バンド５を挟持する外側構成壁部１２ａは前端先細に形成してある。
【０００７】
なお、上記発明のゴーグルの作用・効果については以下の発明の実施の形態の欄で説明する。
【０００８】
【発明の実施の形態】
以下、この発明を実施形態として示した図面に従って説明する。
〔実施形態１〕
図１は、この発明の実施形態であるスイミングゴーグルＳＧの正面図、図２は前記スイミングゴーグルＳＧの側面図である。
（スイミングゴーグルＳＧの基本構成）
このスイミングゴーグルＳＧは、図１や図２に示すように、左右のアイカップ１，１相互を可撓性を有した鼻ベルト２により係脱自在に連結してあり、同図及び図６に示すように各アイカップ１の外端部１１にバンド連結具４を介して弾性バンド５のそれぞれの端部を連結してある。
【０００９】
なお、この実施形態のアイカップ１，１及び鼻ベルト２は、課題を解決するための手段の欄に記載したゴーグル本体に相当する。
（アイカップ１の構成）
アイカップ１は、透明又は半透明の硬質合成樹脂で構成されており、図１や図２に示された少なくともレンズ部１０は防曇処理を施してある。アイカップ１の顔面と対向する部分には、図１や図２に示すように、顔面に密着し且つ顔面に強い衝撃を与えないために柔軟な弾性を有する環状のパット３が着脱自在に装着されている。
【００１０】
また、アイカップ１の内側には図３に示すように、２個の孔１４を有する舌片１５を形成してあり、アイカップ１の外側には、図４や図６に示すようにバンド挿通孔１２を設けた外端部１１を形成してある。そして、前記外端部１１には図６に示すように、外側端縁１１ａ及び外側構成壁部１２ａを設けてある。
【００１１】
なお、アイカップ１，１のレンズ面は度付きでも度付きでなくてもよく、また、レンズ部１０は本体と一体成形されたものでも別体成形されたものでもよい。（鼻ベルト２の構成）
鼻ベルト２は、可撓性を付与すべく弾性合成樹脂やゴム材により構成されており、図３に示すように、本体２０と、上記孔１４に強制嵌入される係合片２１とを一体成形するようにして成る。
【００１２】
なお、係合片２１を嵌入する孔１４を変えることにより、左右の目相互間距離に対応させてアイカップ１，１相互間距離を変えることができる。
（パット３の構成）
パット３は、上述した如く顔面に密着し且つ顔面に強い衝撃を与えないために柔軟な弾性を有するものとしてあり、全体をシリコンゴムその他のゴムにより構成してある。
（バンド連結具４の構成）
バンド連結具４は、図４や図５に示すように、正面形状をアイカップ１の外端部１１の形状に合わせて形成された合成樹脂製のものであり、基本的には表面板４０と連結片４１とから構成されている。
【００１３】
ここで、このバンド連結具４について詳しく説明すると、図１や図２に示す姿勢において、図４や図６に示すように表面板４０の外端側部に縦長のバンド路孔４３，４４を穿設すると共に表面板４０のバンド路孔４３，４４相互間部分を内方に延設して左右方向に長い連結片４１を形成してあり、更に、表面板４０の外端部内面に嵌入凹部４２を形成してある。ここで、この実施形態では、連結片４１は、図６に示すように内側端が後方に向かって折り曲がった折曲部４１ａを設けてある。
【００１４】
なお、上記した嵌入凹部４２は、図６に示すように、余裕をもって外端部１１の外側端縁１１ａの角部が嵌入される深さに設定してあるが、これは外側端縁１１ａ等に多少の製造誤差があっても確実にバンド連結具４を外端部１１に密着させるようにするためである。しかし、この嵌入凹部４２はこの実施形態の形状に限定されるものではない。
（弾性バンド５の構成）
弾性バンド５は、弾性を付与すべくシリコンゴム又は他の合成ゴムから形成され、バンド挿通孔１２及びバンド路孔４３，４４が円滑に挿通されるように両端の一定長さを狭幅に設定してある。
（バンド連結具４を介した弾性バンド５の外端部１１への取り付けについて）
弾性バンド５をバンド連結具４を介して外端部１１に取り付ける場合、以下の▲１▼〜▲３▼の作業を順に行う。
▲１▼．弾性バンド５の幅狭の一端部をアイカップ１の一方側の外端部１１のバンド挿通孔１２に挿通させ、次にバンド連結具４のバンド路孔４３，４４を挿通させ、再びバンド挿通孔１２に挿通させる。この状態では、弾性バンド５は連結片４１にほぼ一周巻き付いた状態になっている。
▲２▼．バンド連結具４と外端部１１との関係が図６に示す関係になるまで、弾性バンド５を強く引っ張る。
▲３▼．同様に、弾性バンド５の幅狭の他端部について上記▲１▼▲２▼と同じ作業をする。
【００１５】
上記作業が終了した状態では、外端部１１の外側端縁１１ａに表面板４０の嵌入凹部４２が嵌まり込み、バンド挿通孔１２の外側構成壁部１２ａは嵌入凹部４２の構成壁と連結片４１の折曲部４１ａとにより挟み込まれている。そして、連結片４１に巻き付いた弾性バンド５は前端先細の外側構成壁部１２ａと連結片４１の折曲部４１ａにより挟持された状態となっている。
（このスイミングゴーグルＳＧの優れた機能について）
▲１▼．連結片４１に巻き付いた弾性バンド５は前端先細の外側構成壁部１２ａと連結片４１の折曲部４１ａとにより挟持された状態となっているから、弾性バンド５が連結片４１に対して滑ることがない。つまり、このスイミングゴーグルＳＧでは、弾性バンド５は不用意に緩むことはない。
▲２▼．外端部１１の外側端縁１１ａに表面板４０の嵌入凹部４２が嵌まり込み、外側構成壁部１２ａは弾性バンド５を介して嵌入凹部４２の構成壁と連結片４１の折曲部４１ａとにより挟み込まれているから、スイミングゴーグルＳＧを外したときでもバンド連結具４が外端部１１から浮き上がるようなことはない。
▲３▼．連結片４１を図６に示すように左右方向に長い形態としてあるから、表面板に４０に意匠を施す面積を大きくとることができる。
〔他の実施形態〕
図７に示すゴーグルＳＧは、バンド連結具４の連結片４１に折曲部４１ａを具備させていないストレートなものとしてある。この実施形態のゴーグルＳＧは上記実施形態１のものと比較して、（このスイミングゴーグルＳＧの優れた機能について）の欄の▲２▼に記載の機能は少し落ちることになるが▲１▼及び▲３▼の機能はそのまま有している。
【００１６】
図８に示すゴーグルＳＧは、バンド連結具４の表面板４０がアイカップ１を大きく覆っており、また、バンド連結具４の連結片４１に前側に折れ曲がる折曲部４１ｂを具備させている。この実施形態のゴーグルＳＧは上記実施形態１のものと比較して、（このスイミングゴーグルＳＧの優れた機能について）の欄の▲２▼に記載の機能は少し落ちることになるが▲１▼及び▲３▼の機能は高くなっている。▲３▼に記載の機能については表面板４０の面積が大きくなることから明らかであり、▲１▼に記載の機能については、折曲部４１ｂと対向する外端部１１の形状を当該折曲部４１ｂと対応させ、両者で屈曲の多いバンド連結具４の屈曲軌跡を規定しているので、弾性バンド５の緩み阻止機能は増大することが明らかである。
【００１７】
なお、上記実施形態は、全てスイミングゴーグルＳＧであるが、これに限定されることなく、スキーゴーグルその他のゴーグルにも適用できる。
【００１８】
また、上記実施形態ではゴーグル本体は、アイカップ１，１及び鼻ベルト２により構成させているが、これに限定されることなく、ゴーグル本体は一枚のレンズ（一体でも別体でもよい）を有するものや、アイカップと鼻ベルトが一体で二枚のレンズ（一体でも別体でもよい）を有するものでもよい。
【００１９】
【発明の効果】
この発明は上記のような構成であるから次の効果を有する。
【００２０】
発明の実施の形態の欄の内容から明らかなように、表面板に意匠を施す面積が大きくとれ且つ弾性バンドが不用意に緩まないゴーグルを提供できた。
【図面の簡単な説明】
【図１】この発明の実施形態１のゴーグルの正面図。
【図２】前記ゴーグルの側面図。
【図３】前記ゴーグルの左右アイカップ相互を鼻ベルトで連結した状態を示す部分上面図。
【図４】前記ゴーグルの外端部からバンド連結具を離した状態を示す部分斜視図。
【図５】前記バンド連結具の裏面側からの斜視図。
【図６】前記ゴーグルにおける弾性バンドの連結部を示した断面図。
【図７】この発明の他の実施形態の弾性バンドの連結部を示した断面図。
【図８】この発明の他の実施形態の弾性バンドの連結部を示した断面図。
【図９】従来のゴーグルにおける弾性バンドの連結部を示した断面図。
【図１０】従来のゴーグルにおける弾性バンドの連結部を示した断面図。
【符号の説明】
１        アイカップ
２        鼻ベルト
３        パット
４        バンド連結具
５        弾性バンド
１１      外端部
１１ａ    外側端縁
１２      バンド挿通孔
１２ａ    外側構成壁部
４０      表面板
４１      連結片
４１ａ    折曲部
４１ｂ    折曲部
４２      嵌入凹部
４３      バンド路孔
４４      バンド路孔
【図１】
0003944708.tif 000002
【図２】
0003944708.tif 000003
【図３】
0003944708.tif 000004
【図４】
0003944708.tif 000005
【図５】
0003944708.tif 000006
【図６】
0003944708.tif 000007
【図７】
0003944708.tif 000008
【図８】
0003944708.tif 000009
【図９】
0003944708.tif 000010
【図１０】
0003944708.tif 000011